(57)【要約】【課題】電話番号を秘匿した状態で呼の転送ができる電話システムを提供する。【解決手段】転送元電話端末が、電話番号を表すコードデータを生成してこれをコード画像として表示し、転送先電話端末が、当該コード画像を撮像して得られた撮像データが表すコードデータから通話相手電話番号及び転送元電話番号を読み取り、これらの電話番号と自身の電話番号とを伴う呼転送要求を呼転送サーバへ発する電話システム。【選択図】図２
2010074602.tif 000002
【特許請求の範囲】
【請求項１】
複数の電話端末と、前記電話端末間の呼接続及び呼切断を制御する呼制御サーバと、前記電話端末からの転送要求に応じて前記呼制御サーバへ呼転送指示を発する呼転送サーバと、を含む電話システムであって、
前記電話端末は、
転送元電話番号及び通話相手電話番号を表すコードデータを生成するコード生成部と、
前記コードデータに基づいてコード画像を表示する表示部と、
前記表示部に表示されたコード画像を撮像して撮像データを得る撮像部と、
前記撮像データが表すコードデータから前記転送元電話番号及び前記通話相手電話番号を読み取る読取部と、
前記転送元電話番号と前記通話相手電話番号と転送先電話番号とを伴う呼転送要求を前記転送サーバへ発する呼転送要求部と、を含み、
前記呼転送サーバは、
前記呼転送要求に応じて前記転送元電話番号と前記通話相手電話番号と前記転送先電話番号とを伴う呼転送指示を前記呼制御サーバへ発する呼転送指示部と、を含み、
前記呼制御サーバは、
前記呼転送指示に応じて前記通話相手電話番号に対応する電話端末と前記転送先電話番号に対応する電話端末とを呼接続すると共に前記通話相手電話番号に対応する電話端末と前記転送元電話番号に対応する電話端末との間の呼接続を呼切断することを特徴とする電話システム。
【請求項２】
前記コードデータは二次元コードデータであることを特徴とする請求項１に記載の電話システム。
【請求項３】
前記二次元コードデータはＱＲコードであることを特徴とする請求項２に記載の電話システム。
【発明の詳細な説明】
【技術分野】
【０００１】
本発明は、複数の電話端末と、当該電話端末間の呼接続を制御する呼制御サーバと、当該呼制御サーバへ転送指示を発する呼転送サーバと、を含む電話システムに関する。
【背景技術】
【０００２】
通常の電話システムは、電話端末間の呼接続を制御する例えばＳＩＰ（Session Initiation Protocol）サーバなどの呼制御サーバを介して電話端末同士を呼接続するだけでなく、例えば特許文献１に開示される呼接続装置の如き呼の割り込みサービスや転送サービスを提供している。一般に呼の転送サービスは、呼制御サーバと、電話端末からの呼転送要求に応じて当該呼制御サーバへ呼の転送指示を行う例えばＳＩＰアプリケーションサーバなどの呼転送サーバとが協働して提供している。従来の転送サービスにおいては、２者間で通話しているときに第三者へ呼を転送する際には、転送先の第三者が自身の電話番号を転送する側に通知し、転送する側がその電話番号に基づく呼転送要求を呼転送サーバへ発していた。
【特許文献１】特開平７−２３５９８８号公報
【発明の開示】
【発明が解決しようとする課題】
【０００３】
上記の通り従来の電話システムにおける呼の転送方式では、２者間で通話しているときに第三者へ呼を転送する際には、呼を転送する側が転送先の第三者の電話番号を知っている必要があったため、転送先の第三者が電話番号を秘匿した状態での呼転送ができなかった。
【０００４】
本発明は上記した如き問題点に鑑みてなされたものであって、電話番号を秘匿した状態での呼転送を可能とする電話システムを提供することを目的とする。
【課題を解決するための手段】
【０００５】
本発明による電話システムは、複数の電話端末と、前記電話端末間の呼接続及び呼切断を制御する呼制御サーバと、前記電話端末からの転送要求に応じて前記呼制御サーバへ呼転送指示を発する呼転送サーバと、を含む電話システムであって、前記電話端末は、転送元電話番号及び通話相手電話番号を表すコードデータを生成するコード生成部と、前記コードデータに基づいてコード画像を表示する表示部と、前記表示部に表示されたコード画像を撮像して撮像データを得る撮像部と、前記撮像データが表すコードデータから前記転送元電話番号及び前記通話相手電話番号を読み取る読取部と、前記転送元電話番号と前記通話相手電話番号と転送先電話番号とを伴う呼転送要求を前記転送サーバへ発する呼転送要求部と、を含み、前記呼転送サーバは、前記呼転送要求に応じて前記転送元電話番号と前記通話相手電話番号と前記転送先電話番号とを伴う呼転送指示を前記呼制御サーバへ発する呼転送指示部と、を含み、前記呼制御サーバは、前記呼転送指示に応じて前記通話相手電話番号に対応する電話端末と前記転送先電話番号に対応する電話端末とを呼接続すると共に前記通話相手電話番号に対応する電話端末と前記転送元電話番号に対応する電話端末との間の呼接続を呼切断することを特徴とする。
【発明の効果】
【０００６】
本発明による電話システムによれば、電話番号を秘匿した状態で呼の転送ができる。
【発明を実施するための最良の形態】
【０００７】
以下、本発明に係る実施例について添付の図面を参照しつつ詳細に説明する。
【０００８】
図１は本実施例による電話システム１を表すブロック図である。電話システム１は、電話端末１０−１〜１０−ｎ（ｎは３以上の整数）と、呼制御サーバ２０と、呼転送サーバ３０と、を含む。
【０００９】
電話端末１０−１〜１０−ｎの各々は、カメラ及びディスプレイを備えた携帯電話端末などであり、呼制御サーバ２０へ呼接続要求を発することにより相互に通話できる。また、電話端末１０−１〜１０−ｎの各々は、呼転送サーバ３０へ呼転送要求を発することができる。
【００１０】
呼制御サーバ２０は電話端末１０−１〜１０−ｎのいずれか１つからの呼接続要求に応じて例えばＳＩＰ（Session Initiation Protocol）などの方式に従って呼接続を行うＳＩＰサーバなどである。また、呼制御サーバ２０は呼転送サーバ３０からの呼転送指示に応じて電話端末１０−１〜１０−ｎのうちの２つの間で呼の転送を行う。
【００１１】
呼転送サーバ３０は、電話端末１０−１〜１０−ｎのいずれか１つからの呼転送要求に応じて呼制御サーバ２０へ電話番号を伴う呼転送指示を発する。
【００１２】
電話端末１０−１と、呼制御サーバ２０又は呼転送サーバ３０と間の通信は、電話端末１０−１が例えば携帯電話端末である場合には無線により行う。また、電話端末１０−１が例えばパーソナルコンピュータであり、いわゆるＩＰ（Internet Protocol）電話による通話を行う場合には例えばインターネットなどの通信網を介して通信を行う。電話端末１０−２〜１０−ｎの場合も同様である。
【００１３】
図2は、電話端末１０−１を表すブロック図である。電話端末１０−１は、通信部１１と、通信データ保持部１２と、入力部１３と、端末データ記憶部１４と、コード生成部１５と、表示部１６と、撮像部１７と、読取部１８と、呼転送要求部１９と、を含む。
【００１４】
通信部１１は、入力部１３に入力された呼接続要求に応じて呼制御サーバ２０へ呼接続要求を発する機能を有し、呼接続が確立した場合には他の電話端末（電話端末１０−２〜１０−ｎのうちのいずれか）に含まれる通信部との間で音声データを交換する。電話端末１０−１には、発話者の音声を音声データに変換して通信部１１へ与えるマイク（図示せず）及び通信部１１が交換する音声データに基づいて音声を出力するスピーカ（図示せず）が含まれている。
【００１５】
通信データ保持部１２は、通信部１１が呼接続を確立する際に取得した通話相手側の電話番号（以下、通話相手電話番号と称する）などの通信データを保持する。
【００１６】
入力部１３は、例えばプッシュボタンなどであり、電話端末１０−１の使用者からの各種入力を受け付ける。入力部１３が受け付ける入力には、呼接続要求に係る電話番号の他、コード生成要求、撮像要求及び呼転送要求などがある。
【００１７】
端末データ記憶部１４は、自身の端末の電話番号（以下、自身端末電話番号と称する）など自身の端末に関するデータを記憶する。
【００１８】
コード生成部１５は、入力部１３が受け付けたコード生成要求に応じて、通信データ保持部１２に保持されている通話相手電話番号及び端末データ記憶部１４に記憶されている自身端末電話番号を表すコードデータを生成する。このコードデータは呼転送要求を発する際に用いるデータであるので、以下、コード生成部１５による生成に係る当該自身端末電話番号を転送元電話番号と称する。
【００１９】
このコードデータは表示部１６に表示できる二次元コードデータである。二次元コードデータは例えばＱＲコード（登録商標）データなどである。図３にＱＲコードの一例を示す。図３に示される如く一般にＱＲコードは白と黒の格子状（セル）のパターンからなる情報である。以下、二次元コードデータをＱＲコードデータとして説明する。
【００２０】
コード生成部１５は、ＩＳＯ（ＩＳＯ/ＩＥＣ１８００４)又はＪＩＳ（ＪＩＳ−Ｘ−０５１０）において規定されている一般のＱＲコード規格に従ってＱＲコードを生成するものであり、ＱＲコードの生成に関しては特別な手段を必要としない。また、コード生成部１５が生成するＱＲコードのバージョンに制限はなく、例えば一辺が２１個のセルからなるバージョン１のＱＲコードなどを生成する。
【００２１】
表示部１６は、コード生成部１５によって生成されたＱＲコードデータに基づいてコード画像を表示する。なお、表示部１６はコード画像以外にも必要に応じて各種静止画像や動画像を表示できる。
【００２２】
撮像部１７は、例えばカメラなどであり、入力部１３が受け付けた撮像要求に応じて、対象物を撮像して撮像データを得る。撮像部１７は、本実施例では特に表示部１６に表示されたコード画像を撮像するのに用いられる。撮像部１７の撮像解像度は、後述する読取部１８がコード画像から電話番号を読み取ることができる程度の撮像データを生成できる解像度であれば良い。撮像部１７はコード画像を撮像するための専用のものであっても良いし、一般画像も撮像する共用のものであっても良い。
【００２３】
なお、撮像データに含まれるコード画像のみを切り出す（トリミングする）切り出し部（図示せず）を更に備えても良い。例えば、コード画像がＱＲコード画像の場合、当該切り出し部は、撮像データが表す撮像画像に含まれるＱＲコード画像のみをその切り出しシンボルに基づいて切り出し（トリミングし）、そのＱＲコード画像を表すデータを撮像データとする。
【００２４】
読取部１８は、撮像部１７による撮像によって得られた撮像データが表すコードデータから通話相手電話番号及び転送元電話番号を読み取る。コードデータがＱＲコードデータの場合、読取部１８は、以下の如くこれらの電話番号を読み取る。すなわち、読取部１８は、撮像データを画像化して得られた撮像画像に含まれるＱＲコード画像をその切り出しシンボルに基づいて特定し、ＩＳＯ又はＪＩＳにおいて規定されている一般のＱＲコード規格に従って当該ＱＲコード画像から通話相手電話番号及び転送元電話番号を読み取る。
【００２５】
呼転送要求部１９は、入力部１３が受け付けた呼転送要求に応じて、読取部１８によるコードデータの読み取りにより得られた通話相手電話番号及び転送元電話番号と端末データ記憶部１４に記憶されている自身端末電話番号とを伴う呼転送要求を呼転送サーバ３０へ発する。この呼転送要求は、自身の端末を呼転送先の電話端末とするものなので、以下、呼転送要求部１９による要求に係る当該自身端末電話番号を転送先電話番号と称する。なお、上述の切り出し部を更に備える場合、呼転送要求部１９は、当該切り出し部によって切り出されたコード画像を表す撮像データと自身端末電話番号とを伴う呼転送要求を呼転送サーバ３０へ発する。
【００２６】
電話端末１０−２〜１０−ｎの各々も上記した電話端末１０−１と同様の構成である。
【００２７】
呼制御サーバ２０は、電話端末１０−１〜１０−ｎのいずれか１つの通信部１１からの呼接続要求に応じて、例えばセッション制御のために従来用いられている通信プロトコルであるＳＩＰなどの方式に従って呼の接続及び切断処理を行う。また、呼制御サーバ２０は、呼転送サーバ３０からの呼転送指示に応じて、電話端末１０−１〜１０−ｎのうちの２つの間で呼の転送を行う。呼制御サーバ２０は呼の転送についても従来のＳＩＰなどの方式に従って処理を行う。
【００２８】
図４は呼転送サーバ３０を表すブロック図である。呼転送サーバ３０は、呼転送指示部３１を含む。
【００２９】
呼転送指示部３１は、呼転送要求部１９からの通話相手電話番号、転送元電話番号及び転送先電話番号を伴う呼転送要求に応じて、当該通話相手電話番号、転送元電話番号及び転送先電話番号を伴う呼転送指示を呼制御サーバ２０へ発する。
【００３０】
図５は電話システム１による呼転送処理ルーチンを表すフローチャートである。図６は呼転送処理における電話システム１の動作を表すシーケンス図である。図７は呼転送処理における各ステップ番号と共に表した電話システム１のブロック図である。以下、図５〜７を参照しつつ、電話端末１０−１と電話端末１０−２とが呼接続し、その通話中に呼接続電話端末１０−２から電話端末１０−３へ呼転送するまでの呼転送処理について説明する。なお、図７では電話端末１０−４〜１０−ｎを省略している。
【００３１】
先ず、電話端末１０−１の通信部１１が、入力部１３に入力された呼接続要求に応じて、電話端末１０−２との呼接続要求を呼制御サーバ２０へ発する（ステップＳ１００）。また、呼制御サーバ２０は、当該呼接続要求に応じて電話端末１０−２へ呼接続要求を発する（ステップＳ１００）これにより、電話端末１０−１と電話端末１０−２とが呼接続され相互に通話可能となる。通信データ保持部１２は、通信部１１が呼接続を確立する際に取得した電話端末１０−１の電話番号（以下、通話相手電話番号と称する）を保持する。
【００３２】
電話端末１０−１と電話端末１０−２の通話中に、電話端末１０−２の使用者が電話端末１０−３へ呼を転送する場合、当該使用者は先ず、電話端末１０−２の入力部１３にコード生成要求を入力する。コード生成部１５は、入力部１３が受け付けたコード生成要求に応じて、通信データ保持部１２に保持されている通話相手電話番号及び端末データ記憶部１４に記憶されている自身端末電話番号（以下、転送元電話番号と称する）を表すコードデータを生成して、これをコード画像として表示部１６に表示せしめる（ステップＳ１０１）。
【００３３】
電話端末１０−３の使用者は、電話端末１０−３の撮像部１７により、電話端末１０−２の表示部１６に表示されたコード画像を撮像して撮像データを得る（ステップＳ１０２）。次に読取部１８は、当該撮像データが表すコードデータから通話相手電話番号及び転送元電話番号を読み取る（ステップＳ１０３）。
【００３４】
続いて電話端末１０−３の使用者は、電話端末１０−２から電話端末１０−３への呼転送を要求するために、電話端末１０−３の入力部１３に呼転送要求を入力する。呼転送要求部１９は、入力部１３が受け付けた呼転送要求に応じて、読取部１８によるコードデータの読取りにより得られた通話相手電話番号及び転送元電話番号と端末データ記憶部１４に記憶されている自身端末電話番号（以下、転送先電話番号と称する）とを伴う呼転送要求を呼転送サーバ３０へ発する（ステップＳ１０４）。
【００３５】
呼転送指示部３１は、電話端末１０−３の呼転送要求部１９からの通話相手電話番号、転送元電話番号及び転送先電話番号を伴う呼転送要求に応じて、当該通話相手電話番号、転送元電話番号及び転送先電話番号を伴う呼転送指示を呼制御サーバ２０へ発する（ステップＳ１０５）。
【００３６】
呼制御サーバ２０は、呼転送サーバ３０からの通話相手電話番号、転送元電話番号及び転送先電話番号を伴う呼転送指示に応じて、電話端末１０−３へ呼接続要求を発して電話端末１０−１と電話端末１０−３とを呼接続し（ステップＳ１０６）、更に電話端末１０−２へ呼切断要求を発して電話端末１０−１と電話端末１０−３とを呼切断する。（ステップＳ１０７）。呼制御サーバ２０によるステップＳ１０６及びＳ１０７の呼転送処理は、従来用いられているＳＩＰに従った呼転送処理で良い。
【００３７】
以上の処理にて、電話端末１０−２から電話端末１０−３への呼の転送処理が完了し、電話端末１０−１と電話端末１０−３とが通話可能となる。
【００３８】
上記したように本実施例による電話システム１によれば、電話端末１０−３の電話番号を電話端末１０−２へ通知することなく、電話端末１０−２から電話端末１０−３への呼転送が可能である。つまり、電話端末１０−３の電話番号を秘匿した状態での呼転送が可能である。また、呼転送サーバ３０へ呼転送要求を発する電話端末１０−３の側では、二次元コード（ＱＲコード）化された電話端末１０−２の電話番号を撮像により取得するので、当該電話番号を電話端末１０−３の使用者に直接的に視認されることもない。
【００３９】
このように、本実施例による電話システムによれば、電話番号を秘匿した状態での呼転送が可能である。
【図面の簡単な説明】
【００４０】
【図１】電話システムを表すブロック図である。
【図２】電話端末を表すブロック図である。
【図３】ＱＲコードの一例を表す図である。
【図４】呼転送サーバを表すブロック図である。
【図５】電話システムによる呼転送処理ルーチンを表すフローチャートである。
【図６】呼転送処理における電話システム１の動作を表すシーケンス図である。
【図７】呼転送処理における各ステップ番号と共に表した電話システムのブロック図である。
【符号の説明】
【００４１】
１  電話システム
１０−１〜１０−ｎ  電話端末
１１  通信部
１２  通信データ保持部
１３  入力部
１４  端末データ記憶部
１５  コード生成部
１６  表示部
１７  撮像部
１８  読取部
１９  呼転送要求部
２０  呼制御サーバ
３０  呼転送サーバ
３１  呼転送指示部
【図１】
2010074602.tif 000003
【図２】
2010074602.tif 000004
【図３】
2010074602.tif 000005
【図４】
2010074602.tif 000006
【図５】
2010074602.tif 000007
【図６】
2010074602.tif 000008
【図７】
2010074602.tif 000009